(57)【要約】      （修正有）【課題】自家電力供給、省エネの機能を達成することができる建物の多重発電装置を提供する。【解決手段】建物１の片側には、電力転換及び保存システム１０を設置し、地熱発電装置４０は、電力転換及び保存システム１０との間に電気的連接作用を備え、地熱発電装置４０は、太陽光の照射を受ける感知面を備え、感知面は、高温を感知し、底部には感知棒を備え、感知棒は地底深くに埋め込み、地底の低温を感知し、この温度差間の流動を電気エネルギーに転換し、地熱発電装置４０はまた、地底の地熱を吸収する吸熱棒を地底に埋め込み、吸収した熱エネルギーを電気エネルギーに転換することもでき、いずれの電気エネルギーも、電力転換及び保存システム１０に送電して、整理及び保存し、さらにソーラーパネル２０と風力発電装置３０を設置し、太陽エネルギー、風力エネルギー、地熱エネルギーは全て電気エネルギーに転換されて保存され、建物１内の電気を使用する器物に提供され使用することができる。【選択図】図１
0003157261.tif 000002
【実用新案登録請求の範囲】
【請求項１】
建物、地熱発電装置を備え、
前記建物の片側には、電力転換及び保存システムを設置し、
前記地熱発電装置は、前記電力転換及び保存システムとの間に電気的連接作用を備え、  前記地熱発電装置は主に、太陽光の照射を受ける感知面を備え、前記感知面は、高温を感知し、底部には感知棒を備え、前記感知棒は地底深くに埋め込み、地底の低温を感知し、この温度差間の流動を電気エネルギーに転換し、前記電力転換及び保存システムに送電して、整理及び保存することを特徴とする建物の多重発電装置。
【請求項２】
前記建物の多重発電装置はさらに、ソーラーパネル、風力発電装置を備え、
前記ソーラーパネルは、前記電力転換及び保存システムと電気的に連接し、太陽の熱エネルギーを吸収すると、前記電力転換及び保存システムに伝送し、熱エネルギーは電気エネルギーに転換され、整理及び保存され、
前記風力発電装置は、前記電力転換及び保存システムと電気的に連接し、主に、スタンドを備え、前記スタンド上端には、ブレードを設置し、前記ブレードは屋外で風力を受け、回転を駆動され、前記ブレードの軸心が通過する位置には、発電機構を設置し、前記ブレード軸心の回転感応により電流を発生し、その電流は電源線を経て電力転換及び保存システムに送電され、整理及び保存されることを特徴とする請求項１に記載の建物の多重発電装置。
【請求項３】
建物、地熱発電装置を備え、
前記建物の片側には、電力転換及び保存システムを設置し、
前記地熱発電装置は、前記電力転換及び保存システムとの間に電気的連接作用を備え、  前記地熱発電装置は主に、地底の地熱を吸収する吸熱棒を地底に埋め込み、吸収した熱エネルギーを電気エネルギーに転換し、前記電力転換及び保存システムに送電して、整理及び保存することを特徴とする建物の多重発電装置。
【請求項４】
前記建物の多重発電装置はさらに、ソーラーパネル、風力発電装置を備え、
前記ソーラーパネルは、前記電力転換及び保存システムと電気的に連接し、太陽の熱エネルギーを吸収すると、前記電力転換及び保存システムに伝送し、熱エネルギーは電気エネルギーに転換され、整理及び保存され、
前記風力発電装置は、前記電力転換及び保存システムと電気的に連接し、主に、スタンドを備え、前記スタンド上端には、ブレードを設置し、前記ブレードは屋外で風力を受け、回転を駆動され、前記ブレードの軸心が通過する位置には、発電機構を設置し、前記ブレード軸心の回転感応により電流を発生し、その電流は電源線を経て電力転換及び保存システムに送電され、整理及び保存されることを特徴とする請求項３に記載の建物の多重発電装置。
【考案の詳細な説明】
【技術分野】
【０００１】
本考案は建物の多重発電装置に関し、特に地熱発電方式による電力を建物に自ら提供し、省エネを達成する建物の多重発電装置に関する。
【背景技術】
【０００２】
地球資源の過度の使用は、環境とエネルギーの各面における疲弊と枯渇を招こうとしており、すべての人類と生物に、甚大な影響を及ぼし始めている。原油価格の変動、電気料金、水道料金、生活費の高騰がそれを如実に物語っており、各種データが示すように、一般市民が抱く生活に対する不安と前途に対する漠然とした無力感は、エネルギー消耗の事実が引き起こす影響と密接な影響がある。そのため、化石エネルギーに対する依存を少しでも改善しようと、世界各国は、代替エネルギーの使用を模索している。
普遍的な代替エネルギーの多くは大自然に関わるもので、内、太陽光発電と風力発電が注目を集めている。しかし、地球上に暮らす我々は、これら発電方式の他にも、他の発電方式を開発する必要に迫られている。
【考案の概要】
【考案が解決しようとする課題】
【０００３】
本考案の目的は、地熱発電方式による電力を建物に自ら提供し、省エネを達成する建物の多重発電装置を提供することである。
【課題を解決するための手段】
【０００４】
上記課題を解決するため、本考案は下記の建物の多重発電装置を提供する。
建物の多重発電装置は、建物、地熱発電装置を備え、
該建物の片側には、電力転換及び保存システムを設置し、
該地熱発電装置は、該電力転換及び保存システムとの間に電気的連接作用を備え、
該地熱発電装置は主に、太陽光の照射を受ける感知面を備え、該感知面は、高温を感知し、底部には感知棒を備え、該感知棒は地底深くに埋め込み、地底の低温を感知し、この温度差間の流動を電気エネルギーに転換し、該電力転換及び保存システムに送電して、整理及び保存する。
【０００５】
建物の多重発電装置は、建物、地熱発電装置を備え、
該建物の片側には、電力転換及び保存システムを設置し、
該地熱発電装置は、該電力転換及び保存システムとの間に電気的連接作用を備え、
該地熱発電装置は主に、地底の地熱を吸収する吸熱棒を地底に埋め込み、吸収した熱エネルギーを電気エネルギーに転換し、該電力転換及び保存システムに送電して、整理及び保存する。
【０００６】
該建物の多重発電装置はさらに、ソーラーパネル、風力発電装置を備え、
該ソーラーパネルは、該電力転換及び保存システムと電気的に連接し、太陽の熱エネルギーを吸収すると、該電力転換及び保存システムに伝送し、熱エネルギーは電気エネルギーに転換され、整理及び保存され、
該風力発電装置は、該電力転換及び保存システムと電気的に連接し、主に、スタンドを備え、該スタンド上端には、ブレードを設置し、該ブレードは屋外で風力を受け、回転を駆動され、該ブレードの軸心が通過する位置には、発電機構を設置し、該ブレード軸心の回転感応により電流を発生し、その電流は電源線を経て電力転換及び保存システムに送電され、整理及び保存される。
【考案の効果】
【０００７】
本考案建物の多重発電装置は、建物上に太陽光発電、風力発電、地熱発電の各装置をそれぞれ設置し、それらは同時、或いは別々に発電を行い、発電された電力を、電気的に連接する電力転換及び保存システムにそれぞれ送電し、整理及び保存することができる。こうして太陽エネルギー、風力エネルギー、地熱エネルギーはみな電気エネルギーに転換されて保存され、建物内の電気を使用する器物に提供されて使用されるため、自家電力供給、省エネの機能を達成することができる。
【図面の簡単な説明】
【０００８】
【図１】本考案実施例の構造立体図である。
【図２】本考案地熱発電装置の第一実施例の構造模式図である。
【図３】本考案地熱発電装置の第二実施例の構造模式図である。
【図４】本考案実施例の構造を示すブロックチャートである。
【考案を実施するための形態】
【０００９】
図１、２に示すように、本考案建物の多重発電装置は、建物１を含み、建物１の片側には、電力転換及び保存システム１０を設置する。ソーラーパネル２０は、建物１の屋根上に設置し、電力転換及び保存システム１０と電気的に連接する。ソーラーパネル２０は太陽の熱エネルギーを吸収すると、電力転換及び保存システム１０に伝送し、熱エネルギーは、電気エネルギーに転換され、整理及び保存を経て、建物１内の電気を使用する器物に必要な電力を提供する。風力発電装置３０は、建物１外の地面、或いは屋根上に設置し、電力転換及び保存システム１０と電気的に連接する。風力発電装置３０は、主に、スタンド３１を備える。スタンド３１上端には、ブレード３２を設置し、ブレード３２は屋外で風力を受け、回転を駆動される。ブレード３２の軸心が通過する位置には、発電機構を設置し、ブレード３２軸心の回転感応により電流を発生し、その電流は電源線を経て電力転換及び保存システム１０に送電され、整理及び保存を経て、建物１内の電気を使用する器物に必要な電力を提供する。
【００１０】
地熱発電装置４０は、建物１内部、或いは外部の地面上に設置し、電力転換及び保存システム１０との間に、電気的連接作用を備える。地熱発電装置４０は、２種の実施例が可能である。図２に示す第一実施例では主に、太陽光の照射を受ける感知面４１を備える。感知面４１は、高温を感知し、底部には感知棒４２を備え、感知棒４２は地底深くに埋め込み、地底の低温を感知する。この温度差間の流動を電気エネルギーに転換し、電力転換及び保存システム１０に送電して、整理及び保存を経て、建物１内の電気を使用する器物に必要な電力を提供する。図３に示す第二実施例では主に、地底の地熱を吸収する吸熱棒４３を地底に埋め込み、吸収した熱エネルギーを電気エネルギーに転換し、電力転換及び保存システム１０に送電して、整理及び保存を経て、建物１内の電気を使用する器物に必要な電力を提供する。
【００１１】
上記した説明と図４に示すように、本考案実施例の建物１は、以下のような自家発電方式を備える。
１．太陽光がソーラーパネル２０に照射すると、ソーラーパネル２０は太陽エネルギーを吸収し、それを電力転換及び保存システム１０に伝送し、電気エネルギーに転換後、整理及び保存をする。
２．風力発電装置３０のブレード３２が、屋外で風力を受け回転を駆動され発電すると、それを電力転換及び保存システム１０に送電し、整理及び保存をする。
３．地熱発電装置４０が地熱を吸収し電気エネルギーに転換し、或いは地表と地底との間の温度差を利用し電気エネルギーに転換し、それを電力転換及び保存システム１０に伝送し、電気エネルギーに転換後、整理及び保存をする。
【００１２】
上記したように、本考案は、建物１上に太陽光発電、風力発電、地熱発電の各装置をそれぞれ設置し、それらは同時、或いは別々に発電を行い、発電された電力を、電気的に連接する電力転換及び保存システム１０にそれぞれ送電し、整理及び保存することができる。こうして太陽エネルギー、風力エネルギー、地熱エネルギーはみな電気エネルギーに転換されて保存され、建物１に提供されて使用されるため、自家電力供給、省エネの機能を達成することができる。
【符号の説明】
【００１３】
１  建物
１０  電力転換及び保存システム
２０  ソーラーパネル
３０  風力発電装置
３１  スタンド
３２  ブレード
４０  地熱発電装置
４１  感知面
４２  感知棒
４３  吸熱棒
【図１】
0003157261.tif 000003
【図２】
0003157261.tif 000004
【図３】
0003157261.tif 000005
【図４】
0003157261.tif 000006